(57)【要約】【課題】カメラ付き携帯電話機を用いて、一定の撮影範囲でパノラマ撮影を行うようにする。【解決手段】折り畳み型のカメラ付き携帯電話機１が閉じている状態から開いた状態になるように、回転軸９を軸にして蓋２および本体３が回動された場合、カメラ部５は、ギア軸２７を軸にして回動され、カメラ部８は、ギア軸４７を軸にして回動される。ここで、本体３に対する蓋２の回転角に対し、その半分の回転角でカメラ部５およびカメラ部８が回動される。これにより、蓋２の本体３に対する開き角度にかかわらず、常に一定の画角が保持される。本発明は、カメラ機能を有する携帯電話機に適用することができる。【選択図】図６
2005080210.tif 000002
【特許請求の範囲】
【請求項１】
蓋部と、
本体部と、
前記蓋部および前記本体部を回動自在に支持するヒンジ部と
を有する折り畳み可能な携帯型情報端末機において、
前記蓋部に回動自在に支持された第１の光学系と、
前記本体部に回動自在に支持された第２の光学系と
を備え、
前記ヒンジ部の回動に連動して、前記第１および第２の光学系が回動される
ことを特徴とする携帯型情報端末機。
【請求項２】
前記本体部に対する前記蓋部の回転角に対し、その半分の回転角で前記第１および第２の光学系が回動される
ことを特徴とする請求項１に記載の携帯型情報端末機。
【発明の詳細な説明】
【技術分野】
【０００１】
本発明は、携帯型情報端末機に関し、特に、例えば、カメラ付き携帯電話機において、一定の撮影範囲でパノラマ撮影を行うことができるようにした携帯型情報端末機に関する。
【背景技術】
【０００２】
従来のカメラ付き携帯電話機では、小型ゆえに撮影範囲が限られていた。そこで、例えば、折り畳み型携帯電話機の蓋側と本体側にカメラをそれぞれ設けることにより、パノラマ撮影やステレオ撮影を可能にしているものがある（例えば、特許文献１参照）。
【０００３】
【特許文献１】特開２００３−５１８７２号公報
【発明の開示】
【発明が解決しようとする課題】
【０００４】
しかしながら、蓋側と本体側のヒンジ部から離れた位置にカメラをそれぞれ設けた場合、蓋の開き角度に応じてカメラが回動されず、そのため、蓋の開き具合によって光軸の方向が変わり、蓋側に設けられたカメラと本体側に設けられたカメラとの撮影範囲が大きく変化してしまう課題があった。
【０００５】
本発明はこのような状況に鑑みてなされたものであり、蓋の開き角度が変化した場合にもパノラマの横手方向の撮影範囲を一定にすることができるようにするものである。
【課題を解決するための手段】
【０００６】
本発明の携帯型情報端末機は、蓋部と、本体部と、蓋部および本体部を回動自在に支持するヒンジ部とを有する折り畳み可能な携帯型情報端末機であって、蓋部に回動自在に支持された第１の光学系と、本体部に回動自在に支持された第２の光学系とを備え、ヒンジ部の回動に連動して、第１および第２の光学系が回動されることを特徴とする。
【０００７】
前記本体部に対する蓋部の回転角に対し、その半分の回転角で第１および第２の光学系が回動されるようにすることができる。
【０００８】
本発明においては、ヒンジ部により本体部と蓋部が回動自在に支持され、蓋部に第１の光学系が回動自在に支持され、本体部に第２の光学系が回動自在に支持され、ヒンジ部の回動に連動して、第１および第２の光学系が回動される。
【発明の効果】
【０００９】
本発明によれば、パノラマ撮影を行うことができる。特に、蓋の開き角度が変化した場合にも一定の撮影範囲でパノラマ撮影を行うことが可能となる。
【発明を実施するための最良の形態】
【００１０】
以下に本発明を実施するための最良の形態を説明するが、明細書中に記載の発明と、実施の形態との対応関係を例示すると、次のようになる。明細書には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１１】
さらに、この記載は、明細書に記載されている実施の形態に対応するすべての発明が、記載されていることを意味するものではない。換言すれば、この記載は、明細書に記載されている他の発明の存在、すなわち、将来、分割出願されたり、補正により出現、追加される発明の存在を否定するものではない。
【００１２】
本発明は、蓋部（例えば、図１の蓋２）と、本体部（例えば、図１の本体３）と、蓋部および本体部を回動自在に支持するヒンジ部（例えば、図１のヒンジ部４）とを有する折り畳み可能な携帯型情報端末機（例えば、図１のカメラ付き携帯電話機）を提供する。この携帯型情報端末機は、蓋部に回動自在に支持された第１の光学系（例えば、図１のカメラ部５）と、本体部に回動自在に支持された第２の光学系（例えば、図２のカメラ部８）とを備え、ヒンジ部の回動に連動して、第１および第２の光学系が回動されるようにすることができる。
【００１３】
この携帯型情報端末機は、本体部に対する蓋部の回転角（例えば、１８０度）に対し、その半分の回転角（例えば、９０度）で第１および第２の光学系が回動されるようにすることができる。
【００１４】
以下に、本発明の実施の形態について図面を参照して説明する。
【００１５】
図１は、本発明を適用したカメラ付き携帯電話機１の外観の構成例を示している。このカメラ付き携帯電話機１は、基本的に、蓋２および本体３から構成され、中央のヒンジ部４により折り畳み可能に形成されている。
【００１６】
ヒンジ部４は、回転軸９を軸にして、蓋２を本体３に対し、回動自在に支持する。蓋２の上端中央部には、９０度の角度範囲で回動自在なCCD（Charge Coupled Device）カメラなどより構成されるカメラ部５（第１光学系）が設けられており、所望の被写体が撮影される。
【００１７】
蓋２のほぼ中央には、LCD（Liquid Crystal Display）６が設けられている。LCD６には、電波の受信状態、電池の残量、電話帳として登録されている氏名や電話番号、および発信履歴の他、入力ボタン７が操作されることにより作成された文章などが表示される。
【００１８】
本体３には、「０」乃至「９」の数字ボタン（テンキー）、「＊」ボタン、および「♯」ボタンなどからなる入力ボタン７が設けられている。ユーザは、この入力ボタン７を操作することで、例えば、電子メールとして送信する文章やメモ帳などを作成することができる。また本体３の下端中央部には、９０度の角度範囲で回動自在なCCDカメラを有するカメラ部８（第２光学系）が設けられており、所望の被写体が撮影される。
【００１９】
また図示は省略するが、カメラ付き携帯電話機１には、これらの他、音声を出力するスピーカ、ユーザの音声を集音するマイクロフォンなども設けられている。
【００２０】
次に、図２乃至図４を参照して、ヒンジ部４およびカメラ部５、並びに、ヒンジ部４およびカメラ部８の連動機構について説明する。図２は、図１に示すＡ−Ａ線の断面図である。図３は、図２に示すＡ−Ａ線の断面図である。図４は、図２に示すＢ−Ｂ線の断面図である。
【００２１】
ヒンジ部４の内部には、固定ギア６１−１，６２−２が設けられている。固定ギア６１−１は、ギア軸６２−１により、本体３に軸支され、固定ギア６１−２は、ギア軸６２−２により、蓋２に軸支される。これにより、蓋２と本体３が、ギア軸６２−１，６２−２を軸にしてそれぞれ回動される。
【００２２】
蓋２の内部には、固定ギア６１−１と噛合されるギア３５が設けられており、ギア軸３４により、蓋２におけるヒンジ部４側の一端に軸支されている。このギア３５は、連結板６３−１を介して固定ギア６１−１に連結されている。連結板６３−１は、ギア軸６２−１を軸にして揺動される。これにより、蓋２が開閉されると、ギア３５が回転され、その回転に連動して、連結板６３−１を介して連結されている固定ギア６１−１が回動される。
【００２３】
また蓋２の内部には、ギア３５の駆動と連動されるギア３２が設けられており、ギア軸３１により、蓋２におけるカメラ部５側の一端に軸支されている。このギア３２は、ベルト３３を介してギア３５に取り付けられており、ギア３５の駆動に連動される。またギア３２は、カメラ部５の内部に設けられている固定ギア２８と噛合されている。このギア２８は、ギア軸２７により、カメラ部５における蓋２側の一端に軸支されている。これにより、蓋２が開閉されると、ギア３５が回転され、その回転に連動して、ベルト３３を介して取り付けられているギア３２が回転され、さらに、その回転に連動して、ギア３２に噛合されている固定ギア２８が回動される。すなわち、蓋２の開閉に連動して、カメラ部５が回動される。
【００２４】
カメラ部５には、撮像レンズ２１が配置されており、被写体の画像を、基板２３に取り付けられているセンサ２２に結像させる。このカメラ部５は、ヒンジ部２４を介して蓋２に回動自在に支持されている。ただし、ヒンジ部２４の一方（図２において、右側のヒンジ部２４）は、中空となっており、基板２３上に設けられたコネクタ２５からのリード線２６が挿通される。このリード線２６は、蓋２内に案内され、メイン基板（図示せず）に実装される。
【００２５】
本体３の内部には、固定ギア６１−２と噛合されるギア５５が設けられており、ギア軸５４により、本体３におけるヒンジ部４側の一端に軸支されている。このギア５５は、連結板６３−２を介して固定ギア６１−２に連結されている。連結板６３−２は、ギア軸６２−２を軸にして揺動される。これにより、本体３が開閉されると、ギア５５が回転され、その回転に連動して、連結板６３−２を介して連結されている固定ギア６１−２が回動される。
【００２６】
また本体３の内部には、ギア５５の駆動と連動されるギア５２が設けられており、ギア軸５１により、本体３におけるカメラ部８側の一端に軸支されている。このギア５２は、ベルト５３を介してギア５５に取り付けられており、ギア５５の駆動に連動される。またギア５２は、カメラ部８の内部に設けられている固定ギア４８と噛合されている。このギア４８は、ギア軸４７により、カメラ部８における本体３側の一端に軸支されている。これにより、本体３が開閉されると、ギア５５が回転され、その回転に連動して、ベルト５３を介して取り付けられているギア５２が回転され、さらに、その回転に連動して、ギア５２に噛合されている固定ギア４８が回動される。すなわち、本体３の開閉に連動して、カメラ部８が回動される。
【００２７】
カメラ部８には、撮像レンズ４１が配置されており、被写体の画像を、基板４３に取り付けられているセンサ４２に結像させる。このカメラ部８は、ヒンジ部４４を介して本体３に回動自在に支持されている。ただし、ヒンジ部４４の一方（図２において、左側のヒンジ部４４）は、中空となっており、基板４３上に設けられたコネクタ４５からのリード線４６が挿通される。このリード線４６は、本体３内に案内され、メイン基板（図示せず）に実装される。
【００２８】
以上の構成により、蓋２および本体３がヒンジ部４を介して回動されると、それに連動して、カメラ部５およびカメラ部８が回動される。
【００２９】
具体的には、蓋２が、例えば、図３に示されるように、矢印Ａ方向に回動された場合、蓋２の内部に設けられたギア３５が矢印Ｂ方向に回転され、その回転に連動して、連結板６３−１を介してギア３５に連結されている固定ギア６１−１が矢印Ｃ方向に回動される。そして、ギア３５の回転にともなって、ベルト３３が矢印Ｄ方向に移動される。さらに、ベルト３３の移動にともなって、蓋２の内部に設けられたギア３２が矢印Ｅ方向に回転され、その回転に連動して、ギア３２に噛合されているカメラ部５の内部に設けられた固定ギア２８が矢印Ｆ方向に回動される。
【００３０】
また本体３が、例えば、図４に示されるように、矢印Ａ方向に回動された場合、本体３の内部に設けられたギア５５が矢印Ｂ方向に回転され、その回転に連動して、連結板６３−２を介してギア５５に連結されている固定ギア６１−２が矢印Ｃ方向に回動される。そして、ギア５５の回転にともなって、ベルト５３が矢印Ｄ方向に移動される。さらに、ベルト５３の移動にともなって、本体３の内部に設けられたギア５２が矢印Ｅ方向に回転され、その回転に連動して、ギア５２に噛合されているカメラ部８の内部に設けられた固定ギア４８が矢印Ｆ方向に回動される。
【００３１】
ここで、ギア３２と固定ギア２８のギア比、および、ギア５２と固定ギア４８のギア比をともに２：１で構成するようにした場合、本体３に対する蓋２の回転角（例えば、１８０度）に対し、その半分の回転角（例えば、９０度）でカメラ部５およびカメラ部８が回動される。これにより、遠距離で被写体を撮影する場合には、蓋２の本体３に対する開き角度にかかわらず、常に一定の画角が保持される（カメラ部５およびカメラ部８は、常に一定の関係が保たれる）。
【００３２】
このように、蓋２の回動に連動してカメラ部５が回動されるとともに、本体３の回動に連動してカメラ部８が回動されるため、蓋２の開き具合にかかわらず、光軸の方向を常に一定に保つことができ、パノラマの横手方向の撮影範囲を一定にすることができる。従って、使用者は、カメラの向きを考慮する必要なく、簡単に、パノラマ撮影やステレオ撮影を行うことができる。
【００３３】
次に、図５乃至図７を参照して、カメラ付き携帯電話機１における開閉動作について詳細に説明する。なお、図５は、図１に示すＢ−Ｂ線の断面図であり、カメラ付き携帯電話機１が閉じている（折り畳まれている）状態を示している。図６は、図１に示すＢ−Ｂ線の断面図であり、蓋２が開いている状態を示している。図７は、図１に示すＢ−Ｂ線の断面図であり、図６に示した状態よりもさらに蓋２が開いている状態を示している。
【００３４】
例えば、カメラ付き携帯電話機１が閉じている状態（図５）から開いている状態（図６）になるように、カメラ付き携帯電話機１の蓋２および本体３が回転軸９を軸にして回動された場合、カメラ部５は、ギア軸２７を軸にして回動され、カメラ部８は、ギア軸４７を軸にして回動される。このとき、閉じた状態（図５）におけるカメラ部５およびカメラ部８の方向（図中、縦方向）と同じ方向を保ったまま回動される。
【００３５】
また例えば、カメラ付き携帯電話機１の蓋２が開いている状態（図６）から、さらに、カメラ付け携帯電話機１の蓋２および本体３が回転軸９を軸にして回動された場合（図７）、カメラ部５は、ギア軸２７を軸にして回動され、カメラ部８は、ギア軸４７を軸にして回動される。このとき、やはり、図５および図６に示した状態におけるカメラ部５およびカメラ部８の方向と同じ方向を保ったまま回動される。
【００３６】
このように、カメラ部５およびカメラ部８は、蓋２の開き具合にかかわらず、常に一定の関係が保たれている。すなわち、遠距離の被写体を撮影する場合にも、カメラ部５およびカメラ部８の画角が一定とされるため、使用者は、簡単に、パノラマ撮影やステレオ撮影を行うことができる。
【００３７】
なお、近距離で被写体を撮影する場合にはパララックス（視差）が生じるが、カメラ部５とカメラ部８でそれぞれ撮影された画像を調整するようにしてもよいし、あるいは、カメラ部５とカメラ部８で撮影されたいずれか一方の画像を無視するようにしてもよい。
【００３８】
以上のように、撮影者が、カメラ付き携帯電話機１を最も安定するように蓋２を調整したとしても、カメラ部５およびカメラ部８は常に一定の画角を保持することが可能となり、手軽にパノラマ撮影やステレオ撮影することが可能となる。
【００３９】
また以上においては、メカ機構によりカメラ部５とカメラ部８の回動を連動させるようにしたが、これに限らず、例えば、アクチュエータなどを使用して連動させるようにしてもよい。この場合には、蓋２の回転角をエンコーダなどにより検出させ、アクチュエータにより、カメラ部５およびカメラ部８を、検出された回転角の半分だけ回動させるようにすればよい。
【００４０】
さらに、パノラマ撮影やステレオ撮影のモードが異なる場合には、カメラ部５とカメラ部８の回転角を各モードに応じて切り換えて制御することにより、それぞれのモードに最適な画角を保持させるようにすることが可能となる。
【図面の簡単な説明】
【００４１】
【図１】本発明を適用したカメラ付き携帯電話機の外観の構成例を示している。
【図２】図１に示すカメラ付き携帯電話機のＡ−Ａ線の断面図である。
【図３】図２に示すカメラ付き携帯電話機のＡ−Ａ線の断面図である。
【図４】図２に示すカメラ付き携帯電話機のＢ−Ｂ線の断面図である。
【図５】図１に示すカメラ付き携帯電話機のＢ−Ｂ線の断面図である。
【図６】図１に示すカメラ付き携帯電話機のＢ−Ｂ線の他の断面図である。
【図７】図１に示すカメラ付き携帯電話機のＢ−Ｂ線の他の断面図である。
【符号の説明】
【００４２】
１  カメラ付き携帯電話機
４  ヒンジ部
５，８  カメラ部
２４  ヒンジ部
２８  固定ギア
３２  ギア
３３  ベルト
３５  ギア
４４  ヒンジ部
４８  固定ギア
５２  ギア
５３  ベルト
５５  ギア
６１−１，６２−２  固定ギア
【図１】
2005080210.tif 000003
【図２】
2005080210.tif 000004
【図３】
2005080210.tif 000005
【図４】
2005080210.tif 000006
【図５】
2005080210.tif 000007
【図６】
2005080210.tif 000008
【図７】
2005080210.tif 000009